(57)【要約】【課題】  本発明は、プラズマディスプレイパネルのリセット波形に関するものである。【解決手段】  本発明によれば、リセット区間で強放電が起こる程度に印加電圧を急速に上昇または下降させた後、電極をフローティングさせることにより、放電進行中に放電空間の内部に印加される電圧の大きさを小さくして放電が自ら消滅するようにして、壁電荷を微細に制御する。【選択図】  図３Ａ
2004341473.tif 000002
【特許請求の範囲】
【請求項１】
第１電極及び第２電極によって定義される第１空間を含むプラズマディスプレイパネルを駆動する方法において、
前記第１電極に第１電圧を印加して前記第１空間を放電させる放電電圧印加段階と、
前記第１空間を放電させた後、前記第１電極をフローティングさせるフローティング段階とを含むプラズマディスプレイ駆動方法。
【請求項２】
前記駆動方法はリセット区間で遂行されることを特徴とする請求項１に記載のプラズマディスプレイパネルの駆動方法。
【請求項３】
第１電極は走査電極であり、前記第２電極は維持電極であることを特徴とする請求項２に記載のプラズマディスプレイパネルの駆動方法。
【請求項４】
前記放電電圧印加段階及びフローティング段階の間、前記維持電極は一定の電圧でバイアスされることを特徴とする請求項３に記載のプラズマディスプレイパネルの駆動方法。
【請求項５】
前記第１電極をフローティングさせる区間が、前記第１電極に前記第１電圧を印加する区間より長いことを特徴とする請求項１に記載のプラズマディスプレイパネルの駆動方法。
【請求項６】
前記放電電圧印加段階及び前記フローティング段階は所定の回数繰り返されることを特徴とする請求項１に記載のプラズマディスプレイパネルの駆動方法。
【請求項７】
前記第１電圧は一定の電圧であることを特徴とする請求項６に記載のプラズマディスプレイパネルの駆動方法。
【請求項８】
前記第１電圧は時間に応じて可変な電圧であることを特徴とする請求項６に記載のプラズマディスプレイパネルの駆動方法。
【請求項９】
前記第１電圧は上昇ランプ電圧であることを特徴とする請求項８に記載のプラズマディスプレイパネルの駆動方法。
【請求項１０】
前記第１電圧は下降ランプ電圧であることを特徴とする請求項８に記載のプラズマディスプレイパネルの駆動方法。
【請求項１１】
ｎ番目の放電電圧印加段階によって前記第１空間内に流れる放電電流の大きさが、ｎ＋１番目の放電電圧印加段階によって前記第１空間内に流れる放電電流の大きさより大きいことを特徴とする請求項６に記載のプラズマディスプレイパネルの駆動方法。
【請求項１２】
第１電極及び第２電極によって定義される第１空間を含むプラズマディスプレイパネルを駆動する方法において、リセット区間で、
（ａ）前記第１電極に上昇電圧を印加して前記第１空間を放電させる段階と、
（ｂ）前記第１空間を放電させた後、前記第１電極をフローティングさせる段階と、
（ｃ）前記第１電極に下降電圧を印加して前記第１空間を放電させる段階、及び
（ｄ）前記第１空間を放電させた後、前記第１電極をフローティングさせる段階を含むプラズマディスプレイパネルの駆動方法。
【請求項１３】
前記第１電極は走査電極であり、前記第２電極は維持電極であることを特徴とする請求項１２に記載のプラズマディスプレイパネルの駆動方法。
【請求項１４】
前記（ａ）段階及び前記（ｂ）段階は所定の回数繰り返されることを特徴とする請求項１２に記載のプラズマディスプレイパネルの駆動方法。
【請求項１５】
前記（ｃ）段階及び前記（ｄ）段階は所定の回数繰り返されることを特徴とする請求項１２に記載のプラズマディスプレイパネルの駆動方法。
【請求項１６】
第１電極及び第２電極によって定義される第１空間を含むプラズマディスプレイパネルを駆動する方法において、リセット区間で、
（ａ）前記第１空間で第１放電を遂行して、前記第１電極または前記第２電極に形成された誘電体に壁電荷を蓄積させる段階と、
（ｂ）前記第１放電を消滅させる段階と、
（ｃ）前記第１空間で第２放電を遂行して、前記第１電極または前記第２電極に形成された誘電体に壁電荷を蓄積させる段階、及び
（ｄ）前記第２放電を消滅させる段階を含むプラズマディスプレイパネルの駆動方法。
【請求項１７】
前記第１放電による放電量が前記第２放電による放電量より多いことを特徴とする請求項１６に記載のプラズマディスプレイパネルの駆動方法。
【請求項１８】
前記段階（ｃ）及び前記段階（ｄ）は、前記第１電極または前記第２電極に形成された誘電体に蓄積された壁電荷に基づいた壁電圧が第１壁電圧に至るまで繰り返されることを特徴とする請求項１６に記載のプラズマディスプレイパネルの駆動方法。
【請求項１９】
前記第１壁電圧は、前記第１電極電圧及び前記第２電極電圧の差電圧から放電開始電圧を引いた値より小さいか又は同一であることを特徴とする請求項１８に記載のプラズマディスプレイパネルの駆動方法。
【請求項２０】
前記段階（ｂ）及び前記段階（ｄ）で壁電荷が蓄積されないことを特徴とする請求項１６に記載のプラズマディスプレイパネルの駆動方法。
【請求項２１】
前記段階（ｂ）及び前記段階（ｄ）で前記第１電極をフローティングさせることを特徴とする請求項１６に記載のプラズマディスプレイパネルの駆動方法。
【請求項２２】
第１電極及び第２電極によって定義される第１空間を含むプラズマディスプレイパネルを駆動する方法において、リセット区間で、
（ａ）前記第１空間で第１放電を遂行して、前記第１電極または前記第２電極に形成された誘電体に蓄積されている壁電荷を減少させる段階と、
（ｂ）前記第１放電を消滅させる段階と、
（ｃ）前記第１空間で第２放電を遂行して、前記第１電極または前記第２電極に形成された誘電体に蓄積されている壁電荷を減少させる段階、及び
（ｄ）前記第２放電を消滅させる段階を含むプラズマディスプレイパネルの駆動方法。
【請求項２３】
前記段階（ｃ）及び前記段階（ｄ）は所定の回数繰り返されることを特徴とする請求項２２に記載のプラズマディスプレイパネルの駆動方法。
【請求項２４】
前記段階（ｂ）及び前記段階（ｄ）で前記第１電極をフローティングさせることを特徴とする請求項２２に記載のプラズマディスプレイパネルの駆動方法。
【請求項２５】
第１電極及び第２電極と、前記第１電極及び第２電極によって定義される第１空間、及びリセット区間の間に前記第１電極及び前記第２電極に駆動信号を送る駆動回路を含み、前記駆動回路は、前記第１電極に第１電圧を印加して前記第１空間を放電させた後、前記第１電極をフローティングさせることを特徴とするプラズマディスプレイパネル。
【請求項２６】
第１電極は走査電極であり、前記第２電極は維持電極であることを特徴とする請求項２５に記載のプラズマディスプレイパネル。
【請求項２７】
前記駆動回路は、前記第１電極に前記第１電圧を印加する区間より、前記第１電極をフローティングさせる区間が大きくなるように前記第１電極を駆動することを特徴とする請求項２５に記載のプラズマディスプレイパネル。
【請求項２８】
前記駆動回路は、前記第１電圧の印加とフローティングが所定の回数繰り返されるように前記第１電極を駆動することを特徴とする請求項２５に記載のプラズマディスプレイパネル。
【請求項２９】
ｎ番目の第１電圧の印加によって前記第１空間内に流れる放電電流の大きさが、ｎ＋１番目の第１電圧の印加によって前記第１空間内に流れる放電電流の大きさより大きいことを特徴とする請求項２８に記載のプラズマディスプレイパネル。
【請求項３０】
前記駆動回路は、電源電圧と、前記電源電圧と前記第１電極の間でカップリングされるスイッチを含む請求項２５に記載のプラズマディスプレイパネル。
【請求項３１】
前記駆動回路は、電流源と、前記電流源と前記第１電極の間でカップリングされるスイッチを含む請求項２５に記載のプラズマディスプレイパネル。
【請求項３２】
第１及び第２基板と、前記第１基板と並べて形成される第１電極及び第２電極と、前記第２基板に形成されるアドレス電極と、前記第１電極及び前記第２電極によって定義される第１空間と、リセット区間、アドレス区間、維持放電区間の間に前記第１電極、前記第２電極及び前記アドレス電極に駆動信号を送る駆動回路を含み、リセット区間の間で前記駆動回路は、前記第１電極に上昇電圧を印加して前記第１空間を放電させた後、前記第１電極をフローティングさせることを特徴とするプラズマディスプレイパネル。
【請求項３３】
前記駆動回路は、前記上昇電圧の印加とフローティングが所定の回数繰り返されるように前記第１電極を駆動することを特徴とする請求項３２に記載のプラズマディスプレイパネル。
【請求項３４】
前記駆動回路は、追加で前記第１電極に下降電圧を印加して前記第１空間を放電させた後、前記第１電極をフローティングさせることを特徴とする請求項３２に記載のプラズマディスプレイパネル。
【請求項３５】
前記駆動回路は、前記下降電圧の印加とフローティングが所定の回数繰り返されるように前記第１電極を駆動することを特徴とする請求項３４に記載のプラズマディスプレイパネル。
【請求項３６】
前記駆動回路は、電流源と、前記電流源と前記第１電極の間でカップリングされるスイッチを含む請求項３２に記載のプラズマディスプレイパネル。
【請求項３７】
第１及び第２基板と、前記第１基板と並べて形成される第１電極及び第２電極と、前記第２基板に形成されるアドレス電極と、前記第１電極及び前記第２電極によって定義される第１空間と、リセット区間、アドレス区間、維持放電区間の間に前記第１電極、前記第２電極及び前記アドレス電極に駆動信号を送る駆動回路を含み、リセット区間の間で前記駆動回路は、前記第１電極に下降電圧を印加して前記第１空間を放電させた後、前記第１電極をフローティングさせることを特徴とするプラズマディスプレイパネル。
【請求項３８】
前記駆動回路は、前記下降電圧の印加とフローティングが所定の回数繰り返されるように前記第１電極を駆動することを特徴とする請求項３７に記載のプラズマディスプレイパネル。
【請求項３９】
前記駆動回路は、電流源と、前記電流源と前記第１電極の間でカップリングされるスイッチを含む請求項３７に記載のプラズマディスプレイパネル。
【発明の詳細な説明】
【技術分野】
【０００１】
本発明は、プラズマディスプレイパネル（plasma display panel；ＰＤＰ）及びその駆動方法に関し、特に、プラズマディスプレイパネルのリセット波形の駆動方法に関するものである。
【背景技術】
【０００２】
最近、液晶表示装置（ＬＣＤ）、電界放出表示装置（field emission display；ＦＥＤ）、ＰＤＰなどの平面表示装置が活発に開発されている。これら平面表示装置の中でＰＤＰは他の平面表示装置に比べて輝度及び発光効率が高く視野角が広いという長所がある。したがって、ＰＤＰが４０インチ以上の大型表示装置において従来のＣＲＴ（cathode ray tube）を代替する表示装置として脚光を浴びている。
【０００３】
ＰＤＰは、気体放電によって生成されたプラズマを用いて文字または映像を表示する平面表示装置であって、その大きさによって数十から数百万個以上のピクセルがマトリックス形態に配列されている。このようなＰＤＰは、印加される駆動電圧波形の形態と放電セルの構造によって直流型（ＤＣ型）と交流型（ＡＣ型）に区分される。
【０００４】
直流型ＰＤＰは、電極が放電空間にそのまま露出されていて、電圧が印加される間に電流が放電空間にそのまま流れるようになり、したがって電流制限のための抵抗を作らなければならないという短所がある。反面、交流型ＰＤＰでは、電極を誘電体層が覆っていて自然なキャパシタンス成分の形成によって電流が制限され、放電時にイオンの衝撃から電極が保護されるので、直流型に比べて寿命が長いという長所がある。
【０００５】
図１は、ＡＣ型プラズマディスプレイパネルの一部斜視図である。
【０００６】
図１に示したように、第１基板１の上には、誘電体層２及び保護膜３で覆われた走査電極４と維持電極５が対をなして平行に設置される。第２基板６の上には、絶縁体層７で覆われた複数のアドレス電極８が設置される。アドレス電極８の間にある絶縁体層７の上には、アドレス電極８と平行に隔壁９が形成されている。また、絶縁体層７の表面及び隔壁９の両側面に蛍光体１０が形成されている。第１基板１と第２基板６は、走査電極４とアドレス電極８及び維持電極５とアドレス電極８が直交するように放電空間１１を隔てて対向して配置されている。アドレス電極８と、対をなす走査電極４と維持電極５の交差部にある放電空間とが放電セル１２を形成する。
【０００７】
図２は、プラズマディスプレイパネルの電極配列図を示す。
【０００８】
図２に示したように、ＰＤＰ電極はｍ×ｎのマトリックス構成を有しており、具体的に、列方向にはアドレス電極（Ａ１〜Ａｍ）が配列されており、行方向にはｎ行の走査電極（Ｙ１〜Ｙｎ）及び維持電極（Ｘ１〜Ｘｎ）がジグザグに配列されている。以下では、走査電極を“Ｙ電極”、維持電極を“Ｘ電極”と称する。図２に示された放電セル１２は図１に示された放電セル１２に対応する。
【０００９】
一般的なＰＤＰの駆動方法によれば、一つのフレームを多数のサブフィールドに分けて駆動するが、この時、各サブフィールドはリセット区間、アドレス区間、維持区間で構成される。
【００１０】
リセット区間（初期化区間）は、以前の維持放電の壁電荷状態を消去し、次のアドレス放電を安定的に遂行するために壁電荷をセットアップ（setup）する役割を果たす。つまり、リセット区間は、続くアドレス区間のアドレス動作のために最適の壁電荷状態を作る役割を果たす。
【００１１】
アドレス区間は、パネルで灯るセルと灯らないセルを選択して、灯るセル（アドレッシングされたセル）に壁電荷を積む動作を行い、維持区間は、アドレッシングされたセルに実際に画像を表示するための放電を行う。
【００１２】
従来は米国特許第５,７４５,０８６号に記載されたように、リセット区間の駆動方法としてランプ波形を印加した。
【００１３】
つまり、従来は、リセット区間で各電極の壁電荷を制御するために、Ｙ電極にゆっくり上昇または下降させる上昇ランプ及び下降ランプ波形を印加した。しかし、従来のようにランプ波形を印加する場合には、壁電荷の制御精密度がランプの傾きに強く依存するため、壁電荷を精密に制御するための初期化に相当な時間がかかる問題点があった。
【発明の開示】
【発明が解決しようとする課題】
【００１４】
本発明が目的とする技術的課題は、このような従来の技術の問題点を解決するためのものであって、短時間内に初期化を具現するプラズマディスプレイパネル及びその駆動方法を提供することにある。
【課題を解決するための手段】
【００１５】
前記目的を達成するための本発明の一つの特徴によるプラズマディスプレイパネルの駆動方法は、第１電極及び第２電極によって定義される第１空間を含むプラズマディスプレイパネルを駆動する方法において、前記第１電極に第１電圧を印加して前記第１空間を放電させる放電電圧印加段階、及び前記第１空間を放電させた後、前記第１電極をフローティングさせるフローティング段階を含む。
【００１６】
この時、前記第１電極をフローティングさせる区間が、前記第１電極に前記第１電圧を印加する区間より長いのが好ましい。
【００１７】
また、前記放電電圧印加段階及び前記フローティング段階は、所定の回数繰り返されることができる。
【００１８】
一方、本発明の他の特徴によるプラズマディスプレイパネルの駆動方法は、第１電極及び第２電極によって定義される第１空間を含むプラズマディスプレイパネルを駆動する方法において、リセット区間で、（ａ）前記第１電極に上昇電圧を印加して前記第１空間を放電させる段階と、（ｂ）前記第１空間を放電させた後、前記第１電極をフローティングさせる段階と、（ｃ）前記第１電極に下降電圧を印加して前記第１空間を放電させる段階、及び（ｄ）前記第１空間を放電させた後、前記第１電極をフローティングさせる段階を含む。
【００１９】
一方、本発明の他の特徴によるプラズマディスプレイパネルの駆動方法は、第１電極及び第２電極によって定義される第１空間を含むプラズマディスプレイパネルを駆動する方法において、リセット区間で、（ａ）前記第１空間で第１放電を遂行して、前記第１電極または前記第２電極に形成された誘電体に壁電荷を蓄積させる段階と、（ｂ）前記第１放電を消滅させる段階と、（ｃ）前記第１空間で第２放電を遂行して、前記第１電極または前記第２電極に形成された誘電体に壁電荷を蓄積させる段階、及び（ｄ）前記第２放電を消滅させる段階を含む。
【００２０】
一方、本発明のまた他の特徴によるプラズマディスプレイパネルの駆動方法は、第１電極及び第２電極によって定義される第１空間を含むプラズマディスプレイパネルを駆動する方法において、リセット区間で、（ａ）前記第１空間で第１放電を遂行して、前記第１電極または前記第２電極に形成された誘電体に蓄積されている壁電荷を減少させる段階と、（ｂ）前記第１放電を消滅させる段階と、（ｃ）前記第１空間で第２放電を遂行して、前記第１電極または前記第２電極に形成された誘電体に蓄積されている壁電荷を減少させる段階、及び（ｄ）前記第２放電を消滅させる段階を含む。
【００２１】
一方、本発明の特徴によるプラズマディスプレイパネルは、第１電極及び第２電極と、前記第１電極及び第２電極によって定義される第１空間、及びリセット区間の間に前記第１電極及び前記第２電極に駆動信号を送る駆動回路を含み、前記駆動回路は、前記第１電極に第１電圧を印加して前記第１空間を放電させた後、前記第１電極をフローティングさせることを特徴とする。
【００２２】
一方、本発明の他の特徴によるプラズマディスプレイパネルは、第１及び第２基板と、前記第１基板に並べて形成される第１電極及び第２電極と、前記第２基板に形成されるアドレス電極と、前記第１電極及び前記第２電極によって定義される第１空間と、リセット区間、アドレス区間、維持放電区間の間に前記第１電極、前記第２電極及び前記アドレス電極に駆動信号を送る駆動回路を含み、リセット区間の間で前記駆動回路は、前記第１電極に上昇電圧を印加して前記第１空間を放電させた後、前記第１電極をフローティングさせることを特徴とする。
【００２３】
この時、前記駆動回路は、電流源と、前記電流源と前記第１電極の間でカップリングされるスイッチとを含む。
【００２４】
一方、本発明のまた他の特徴によるプラズマディスプレイパネルは、第１及び第２基板と、前記第１基板に並べて形成される第１電極及び第２電極と、前記第２基板に形成されるアドレス電極と、前記第１電極及び前記第２電極によって定義される第１空間と、リセット区間、アドレス区間、維持放電区間の間に前記第１電極、前記第２電極及び前記アドレス電極に駆動信号を送る駆動回路を含み、リセット区間の間で前記駆動回路は、前記第１電極に下降電圧を印加して前記第１空間を放電させた後、前記第１電極をフローティングさせることを特徴とする。
【発明の効果】
【００２５】
本発明によれば微細な壁電荷の制御が可能であり、リセット区間のかかる時間を短縮することができる。
【発明を実施するための最良の形態】
【００２６】
以下、図面を参照して本発明の実施例による駆動方法について詳細に説明する。
【００２７】
本発明の実施例によるプラズマディスプレイパネルの駆動方法によれば、リセット区間で強放電が起こる程度に印加電圧を急速に上昇及び下降させ、放電進行中に放電空間の内部に印加される電圧の大きさを小さくして、放電が自ら消滅（self-quenching）するようにすることによって壁電荷を制御する。この時、本発明の実施例によれば、このような放電の消滅を、電極のフローティング状態を利用して具現する。
【００２８】
放電空間に電圧を印加した後から放電形成時までは所定の時間がかかるが（放電形成時までのかかる時間を放電遅延とする）、電圧印加から放電形成までの過程を説明すれば次の通りである。
【００２９】
容量性負荷（capacitive load）と表現される二つの電極（Ｙ電極、Ｘ電極及びアドレス電極のうちの二つの電極）のうちのいずれか一つ以上を電源に連結すると、二つの電極に電荷が充電されて放電空間（二つの電極の間）に電圧が印加される。放電空間に電圧が印加されると、アルファ（α）及びガンマプロセスを経て放電が始まり、二つの電極に形成されている誘電体に壁電荷が蓄積され始める。蓄積された壁電荷は放電空間内部にかかる電圧を減少させるが、この時、相当量の壁電荷が蓄積されると、放電空間にかかる電圧はそれ以上放電を維持されない程度に小さくなり、順次に放電は消滅する。
【００３０】
このような過程で次のような事項を仮定してみる。
【００３１】
（１）従来のリセット方法のように、放電形成期間の間終始プラズマディスプレイパネルの電極が電源と連結されている場合、放電が開始されて電極に形成されている誘電体に壁電荷が蓄積されても、電源から引続き電荷が供給されるので電極の電圧は印加電圧として一定に維持される。したがって、電源から電極に供給される電荷の量は放電によって蓄積される壁電荷の量とほとんど対等であるので、壁電荷形成による放電空間内部の電圧の減少は非常に小さく、相当量の壁電荷が蓄積されてようやく放電が消滅するようになる。
【００３２】
（２）本発明の実施例のように、電圧印加の後に電極をフローティング状態にして電源と電極とを電気的に遮断した場合、放電が形成されて壁電荷蓄積が始まると、電源から電極に流入する電荷がないために電極の電圧が壁電荷の量によって変わる。したがって、壁電荷の蓄積量が直ちに放電空間内部の電圧を減少させるようになり、少量の壁電荷蓄積だけでも放電は消滅する。つまり、一定の電圧をパネルに印加した後、電気的に電源とパネルをオープン（ハイインピーダンス）させてパネルの電極をフローティング状態にすれば、壁電荷の蓄積によって放電空間内部の電圧の大きさが減少する時に電極の間の電圧の大きさも共に減少して、少量の壁電荷蓄積だけでも放電が消滅する。したがって、電極をフローティング状態にすれば、電源を通じて電極に電圧を印加した状態より壁電荷を微細に制御することができることが分かる。
【００３３】
以下、図３乃至図６を参照して、本発明の実施例による駆動方法の原理をより詳細に説明する。
【００３４】
図３Ａは、本発明の実施例による駆動方法を説明するためにＰＤＰセルを１次元的にモデリングしたものであり、図３Ｂは図３Ａの等価回路を示した図である。
【００３５】
図３Ａにおいて、第１電極（例えば、Ｙ電極）１５はスイッチ（Ｓ１）を介して電圧（Ｖｉｎ）に電気的に連結されており、第２電極（例えば、Ｘ電極）１６は接地電圧に電気的に連結されている。第１電極１５及び第２電極１６の内側には、各々誘電体層２０、３０が形成されている。誘電体層２０、３０の間に放電ガス（図示せず）が注入されており、この誘電体層２０、３０の間の領域が放電空間４０を形成する。
【００３６】
この時、第１及び第２電極１５、１６、誘電体層２０、３０及び放電空間４０は、図３Ｂに示したようにパネルキャパシタンス（Ｃｐ）で等価的に示すことができる。
【００３７】
図３Ａにおいて、二つの誘電体層２０、３０の厚さはｄ１で同一であり、二つの誘電体層の間の距離（放電空間の距離）はｄ２と仮定する。二つの誘電体層２０、３０の誘電常数（dielectric constant）はεrと仮定し、放電空間４０に印加される電圧はＶgと仮定する。
【００３８】
次に、図４を参照して、壁電荷なしで電極に電圧（Ｖｉｎ）が印加された状態での放電空間に印加された電圧Ｖｇを計算する。
【００３９】
式(1)に示したマクスウェル方程式から、領域Ａ及び領域Ｂを各々ガウス表面（Gaussian surface）に選択した後、各々に対してガウス法則（Gaussian theorem）を適用すれば、式(2)及び式(3)のような誘電体内部の電界（Ｅ１）及び放電空間内部の電界（Ｅ２）を求めることができる。
【００４０】
【数１】
2004341473.tif 000003
【００４１】
【数２】
2004341473.tif 000004
【００４２】
【数３】
2004341473.tif 000005
【００４３】
図４において、外部に電圧Ｖｉｎが印加されるので、次の式(4)及び式(5)を求めることができる。
【００４４】
【数４】
2004341473.tif 000006
【００４５】
【数５】
2004341473.tif 000007
【００４６】
また、式(1)乃至式(5)より、次の式(6)及び式(7)を求めることができる。
【００４７】
【数６】
2004341473.tif 000008
【００４８】
【数７】
2004341473.tif 000009
【００４９】
式(7)より、外部印加電圧（Ｖｉｎ）が放電空間にそのまま印加されることが分かる。
【００５０】
次に図５を参照して、電圧（Ｖｉｎ）の印加状態で壁電荷（σw）が形成される時、放電空間内部の電圧（Ｖg’）を計算する。図５では、壁電荷形成時に電極の電位を維持するために電源（Ｖｉｎ）から電荷が供給されるので、電極に印加される電荷量はσt’に増加する。
【００５１】
図５において、領域Ａ及び領域Ｂを各々ガウス表面に選択した後、各々に対してガウス法則を適用すれば、式(8)及び式(9)のような誘電体内部の電界（Ｅ１）及び放電空間内部の電界（Ｅ２）を求めることができる。
【００５２】
【数８】
2004341473.tif 000010
【００５３】
【数９】
2004341473.tif 000011
【００５４】
式（10）であり、式(11)であるので、式(8)及び式(9)より、式(12)と式(13)を求めることができる。
【００５５】
【数１０】
2004341473.tif 000012
【００５６】
【数１１】
2004341473.tif 000013
【００５７】
【数１２】
2004341473.tif 000014
【００５８】
【数１３】
2004341473.tif 000015
【００５９】
式(13)から分かるように、電圧（Ｖｉｎ）が引続き印加された状態ではαがほとんど１であるので、非常に小さい電圧降下だけがあることが分かる。
【００６０】
次に、図６を参照して、壁電荷（σw）が形成された後、フローティングをさせた状態での放電空間内部の電圧（Ｖg’）を計算する。図６では、壁電荷形成時に電源（Ｖｉｎ）から流入する電荷がないので、電極に印加される電荷量はσtになる。
【００６１】
図６において、領域Ａ及び領域Ｂを各々ガウス表面に選択した後、各々に対してガウス法則を適用すれば、式(2)及び式(14)のような誘電体内部の電界（Ｅ１）及び放電空間内部の電界（Ｅ２）を求めることができる。
【００６２】
【数１４】
2004341473.tif 000016
【００６３】
式(15)であるので、式(14)より次の式(16)を求めることができる。
【００６４】
【数１５】
2004341473.tif 000017
【００６５】
【数１６】
2004341473.tif 000018
【００６６】
式(16)から分かるように、電圧（Ｖｉｎ）が印加されない状態（つまり、フローティング状態）では壁電荷によって大きな電圧の降下があることが分かる。つまり、数式(13)及び数式(16)から分かるように、電極がフローティングされた状態が電圧（Ｖｉｎ）印加状態より、壁電荷による電圧降下の大きさが（１／１−α）倍程大きくなることが分かる。結局、フローティング状態では少ない壁電荷の追加的形成によって放電空間内の電圧が急激に減少するので、放電の急激な消滅メカニズムで作用できるということが分かる。
【００６７】
本発明の実施例は、このような消滅メカニズム（quenching mechanism）を用いて精密な壁電荷の制御を遂行する。
【００６８】
以下、本発明の第１実施例によるプラズマディスプレイパネルの駆動方法を説明する。
【００６９】
図７は、本発明の実施例によるプラズマディスプレイパネルを示す図である。
【００７０】
図７に示したように、本発明の実施例によるプラズマディスプレイパネルは、プラズマパネル１００、制御部２００、アドレス駆動部３００、Ｘ電極駆動部４００及びＹ電極駆動部５００を含む。
【００７１】
プラズマパネル１００は、列方向に配列されている多数のアドレス電極（Ａ１〜Ａｍ）、行方向にジグザグに配列されている多数の維持電極（Ｘ１〜Ｘｎ）及び走査電極（Ｙ１~Ｙｎ）を含む。
【００７２】
制御部２００は、外部から映像信号を受信してアドレス駆動制御信号、Ｘ電極駆動制御信号及びＹ電極駆動制御信号を出力する。
【００７３】
アドレス駆動部３００は、制御部２００からアドレス駆動制御信号を受信して、表示しようとする放電セルを選択するための表示データ信号を各アドレス電極に印加する。
【００７４】
Ｘ電極駆動部４００は、制御部２００からＸ電極駆動制御信号を受信してＸ電極に駆動電圧を印加し、Ｙ電極駆動部５００は、制御部２００からＹ電極駆動制御信号を受信してＹ電極に駆動電圧を印加する。この時、Ｘ電極駆動部４００またはＹ電極駆動部５００は図３Ｂで説明したように、リセット区間でＸ電極またはＹ電極に所定の電圧を印加して放電を開始した後、電極をフローティング状態にする。また、Ｘ電極駆動部４００及びＹ電極駆動部５００は、維持期間に各々Ｘ電極及びＹ電極に維持放電電圧を印加する。
【００７５】
図８Ａ及び図８Ｂは、本発明の第１実施例によるリセット波形を示す図である。
【００７６】
図８Ａに示したように本発明の第１実施例によるリセット波形によれば、Ｘ電極を接地電圧に維持した状態で、Ｙ電極を放電が可能な電圧（Ｖｓｅｔ）を印加した状態とフローティング状態にする。この時、Ｙ電極を電圧印加状態とフローティング状態とに繰り返して駆動することができ、この場合、電圧印加区間（ｔａ）をフローティング状態区間（ｔｆ）より小さく設定するのが好ましい。
【００７７】
図８Ａ及び図８Ｂに示したように、Ｙ電極を電圧印加状態とフローティング状態とに繰り返して駆動した時、Ｙ電極とＸ電極との差電圧（Ｖａ）、二つの電極内部の誘電体層に形成される壁電荷による壁電圧（Ｖｗ）と放電電流（Ｉｄ）を図９に図示した。本発明の第１実施例ではＸ電極の電圧が接地電圧であるため、以下では説明の便宜のために、電圧ＶａをＹ電極の電圧と同一に見なす。
【００７８】
図９に示したように、Ｙ電極に放電開示電圧（Ｖｆ）以上の電圧（Ｖｓｅｔ）を印加して放電を開始した後、Ｙ電極をフローティング状態にすれば、前で説明したように所定の壁電荷が蓄積されると同時に、放電空間内部に強い放電消滅が発生する。放電空間内部が放電消滅されるに伴ってＹ電極の電圧（Ｖａ）も共に減少する。その後、再びＹ電極に電圧（Ｖｓｅｔ）を印加して放電を形成させた後にフローティング状態にすれば、先と同様に所定の壁電荷が蓄積されると同時に、放電空間内部に強い放電消滅が発生する。そして、このような電圧印加及びフローティング状態は所定の回数繰り返される。
【００７９】
この時、図９に示したように、放電空間に流れる放電の量（つまり、放電電流の大きさ）は次第に減少していることが分かる。これは放電空間内部に流れる放電電流（Ｉｄ）はＹ電極の電圧（Ｖａ）と壁電圧（Ｖｗ）との差に比例するからである。つまり、図９に示したように電圧印加とフローティング状態を繰り返すほど、二つの電極に形成されている誘電体層に蓄積される壁電荷による壁電圧（Ｖｗ）が増加し、したがってＹ電極の電圧（Ｖａ）と壁電圧（Ｖｗ）との差が減少するため、放電電流が減少することである。この時、壁電荷は放電空間にかかる電圧（つまり、Ｖａ電圧とＶｗ電圧との差）が放電開始電圧（Ｖｆ）に到達するまで蓄積されるようになる。
【００８０】
このように本発明の第１実施例によれば、Ｙ電極に一定の電圧（Ｖｓｅｔ）を印加した後にフローティング状態に駆動して、少ない壁電荷の蓄積だけでも放電を急激に消滅させることができるので、壁電荷を微細に制御することができる。本発明の第１実施例によって壁電荷を制御する時に注意する点は、電圧を印加している時間の大きさ（ｔａ）が放電が過度に大きく形成される程に長くてはいけないという点である。
【００８１】
また、本発明の第１実施例によれば第１放電が最も大きいため、第１放電以後の放電を通じて安定的に壁電荷を制御することができる。つまり、少なくとも二回以上の放電が起こるように印加時間（turn-on time）とフローティング時間（turn-off time）を設定してＹ電極を駆動するのが好ましい。
【００８２】
次に、本発明の第２実施例による駆動方法について説明する。
【００８３】
図１０は、本発明の第２実施例によるリセット方法を具現するための概念図である。
【００８４】
図１０において、一定の電流を流れるようにする電流源（Ｉ）がスイッチ（Ｓ１）を介してパネルキャパシター（Ｃｐ）に連結される。図１０でパネルキャパシター（Ｃｐ）は、Ｙ電極、Ｘ電極及びアドレス電極のうちの二つの電極を等価的にモデリングしたものである。
【００８５】
図１０において、スイッチがターンオンされる時にパネルキャパシター（Ｃｐ）の一方の電極に印加される電圧は次の式(17)の通りである。
【００８６】
【数１７】
2004341473.tif 000019
【００８７】
ここで、Ｃｘはパネルキャパシター（Ｃｐ）のキャパシタンスを示し、（＋）及び（−）符号は電流源から供給される電流の方向によって決定される。
【００８８】
式(17)から分かるように、本発明の第２実施例によれば、パネルキャパシター（Ｃｐ）にＩ／Ｃｘの傾きで増加するランプ波形が印加される。
【００８９】
本発明の第２実施例によるリセット方法は、パネルキャパシターの一方の電極に所定の時間内に急激に上昇または下降するランプ波形を印加してパネルキャパシターの内部（つまり、二つの電極の間の放電空間）を放電させた後、パネルキャパシターの一つの電極をフローティングさせることによって放電空間の放電を消滅させる。
【００９０】
この時、図１０に等価的に示した電流源（Ｉ）とスイッチ（Ｓ１）に該当する回路の構成は、図７に示したプラズマディスプレイパネルのＸ電極駆動部４００、Ｙ電極駆動部５００及びアドレス駆動部３００のうちのいずれか一つ以上ありうる。この時、図１０に等価的に具現した電流源（Ｉ）とスイッチ（Ｓ１）の具体的な回路は、本発明の属する技術分野の通常の専門家であれば容易に分かることができるので、以下ではその具体的な説明を省略する。
【００９１】
図１１は、本発明の第２実施例による駆動波形を示す図である。
【００９２】
図１１において、リセット区間は消去区間、Ｙランプ上昇／フローティング区間、Ｙランプ下降／フローティング区間からなる。
【００９３】
（１）消去区間
最後の維持放電が終われば、Ｘ電極に形成される誘電体には（＋）電荷、Ｙ電極に形成される誘電体には（-）電荷が蓄積されるようになる。維持放電が終わった後に、Ｙ電極を所定電圧（接地電圧）を維持した状態で、Ｘ電極に０（Ｖ）から＋Ｖｅ（Ｖ）まで上昇ランプ電圧を印加する。そうすると、Ｘ電極とＹ電極の誘電体に蓄積されていた壁電荷は次第に消去される。
【００９４】
（２）Ｙ上昇ランプ／フローティング区間
この区間の間には、アドレス電極及びＸ電極を０Ｖに維持した状態で、Ｙ電極を電圧Ｖｓから電圧Ｖｓｅｔまで上昇ランプ及びフローティングを繰り返すランプ上昇／フローティング電圧を印加する。Ｙ電極に急激に上昇するランプ電圧を印加する間、全ての放電セルではリセット放電が起きて壁電荷が蓄積され、Ｙ電極をフローティングさせる間には放電空間の放電が急激に消滅される。
【００９５】
（３）Ｙ下降ランプ／フローティング区間
次に、リセット期間の後半ではＸ電極を定電圧Ｖｅに維持した状態で、Ｙ電極に電圧Ｖｓから０（Ｖ）まで下降ランプ及びフローティングを繰り返す下降ランプ／フローティング電圧を印加する。
【００９６】
図１２Ａは、図１１に示したリセット区間のうちのＩＩ領域、つまり、Ｙ上昇ランプ／フローティング区間とＹ下降ランプ／フローティング区間とを拡大した図であり、図１２Ｂ及び図１２Ｃは、図１２Ａのｂ領域とｃ領域を拡大した図である。
【００９７】
図１２Ｂ及び図１２Ｃにおいて、Ｙ電極に上昇ランプ電圧を印加する時間（ｔｒ_ａ）及び下降ランプ電圧を印加する印加時間（ｔｆ_ａ）は、各々Ｙ電極をフローティングさせる時間（ｔｒ_ｆ、ｔｆ_ｆ）より小さく設定するのが好ましい。
【００９８】
図１３Ａは、本発明の第２実施例によるＹ上昇ランプ／フローティング区間でのＹ電極及びＸ電極の差電圧（Ｖａ）、二つの電極に形成された誘電体に蓄積された壁電荷による壁電圧（Ｖｗ）と放電電流（Ｉｄ）を示した図である。本発明の第２実施例のＹ上昇ランプ／フローティング区間ではＸ電極の電圧が接地電圧であるので、以下では説明の便宜のために、電圧（Ｖａ）をＹ電極の電圧に見なす。
【００９９】
図１３Ａに示したように、Ｙ電極に放電開始電圧（Ｖｆ）以上のランプ電圧を印加して放電を開始した後、Ｙ電極をフローティング状態にすれば、前で説明したように所定の壁電荷が蓄積されると同時に、放電空間内部に強い放電消滅が発生する。放電空間内部が放電消滅されるに伴ってＹ電極の電圧（Ｖａ）も共に減少する。その後、再びＹ電極にランプ電圧を印加して放電を形成させた後にフローティング状態にすれば、先と同様に所定の壁電荷が蓄積されると同時に、放電空間内部に強い放電消滅が発生する。そして、このようなランプ電圧印加及びフローティング状態の反復は所定の回数繰り返される。
【０１００】
この時、図１３Ａに示したように本発明の第２実施例によれば、放電空間に流れる放電の量（つまり、放電電流の大きさ）は本発明の第１実施例と比較してみれば遥かに一定であることが分かる。これは図１３Ａに示したように、電圧印加とフローティング状態を繰り返すほど二つの電極に形成されている誘電体に蓄積される壁電荷による壁電圧（Ｖｗ）が増加するが、同様にＹ電極に印加される電圧（Ｖａ）も増加するため、Ｙ電極の電圧（Ｖａ）と壁電圧（Ｖｗ）との差が本発明の第１実施例に比べて遥かに一定であるからである。
【０１０１】
したがって、本発明の第２実施例によるリセット方法が第１実施例による駆動方法より精密な壁電荷制御が可能であることが分かる。
【０１０２】
図１３Ｂは、本発明の第２実施例によるＹ下降ランプ／フローティング区間でのＸ電極の電圧（Ｖｘ）、Ｙ電極の電圧（Ｖｙ）、二つの電極に形成されている誘電体に蓄積される壁電荷による壁電圧（Ｖｗ）と放電電流（Ｉｄ）を示した図である。本発明の第２実施例によるＹ下降ランプ／フローティング区間で、Ｘ電極にはＹ電極の電圧より大きいバイアス電圧（Ｖｘ）が印加される。
【０１０３】
図１３Ｂに示したように、Ｘ電極の電圧（Ｖｘ）とＹ電極の電圧（Ｖｙ）との間の電圧差が放電開始電圧（Ｖｆ）以上となるように、Ｙ電極に急激に下降するランプ電圧を印加して放電を開始した後にＹ電極をフローティング状態にすれば、以前に蓄積されていた壁電荷は少しずつ減少すると同時に、放電空間内部に強い放電消滅が発生する。この時、放電空間内部が放電消滅されるに伴ってＹ電極の電圧（Ｖｙ）は上昇する。その後、再びＹ電極に下降ランプ電圧を印加して放電を形成させた後にフローティング状態にすれば、先と同様にさらに多くの壁電荷が減少すると同時に、放電空間内部に強い放電消滅が発生する。そして、このような下降ランプ電圧印加及びフローティング状態を所定の回数繰り返せば、図１３Ｂに示したように、Ｘ電極及びＹ電極に形成されている誘電体に所定の壁電荷が蓄積されるようになる。
【０１０４】
したがって、本発明の第２実施例のように下降ランプ印加及びフローティング状態を繰り返して駆動すれば、二つの電極に形成されている誘電体に蓄積される壁電荷を所望の状態になるように制御できるということが分かる。
【０１０５】
以上で説明したように、本発明の実施例によるリセット方法は、電圧印加後に電極をフローティングさせて電極に形成される壁電荷を制御するので、次のような長所がある。
【０１０６】
第一に、従来のリセット方法は基本的に電圧印加によって放電が形成され、放電形成によって壁電荷が蓄積され、壁電荷が充分に蓄積されることによって内部電圧が減少して放電が消滅する一種のフィードバック方法である。本発明の実施例によるフローティング状態を利用したリセット方法は、フローティング状態を通じて少ない壁電荷の蓄積だけでも内部電圧が急激に減少して放電が消滅される遥かに強化されたフィードバック方法である。つまり、本発明の実施例によれば、従来より少ない壁電荷の蓄積量で放電を消滅させるので、壁電荷の微細な制御が可能である。
【０１０７】
第二に、従来のランプ電圧印加によるリセットは、一定の電圧変化量で放電空間に印加される電圧を緩やかに上昇させ、強い放電を防止することによって壁電荷を制御した。このような従来のランプ電圧の場合は放電の強さをランプの傾きで制御するため、壁電荷制御のためのランプ電圧の傾きの制約条件によってリセットにかかる時間が長くなるという短所がある。これに反し、本発明の実施例によるフローティングを利用したリセットの場合には、放電の強さを壁電荷による電圧降下原理を用いるので、かかる時間を短縮することができる。
【０１０８】
以上では本発明の実施例について詳細に説明したが、本発明は前記実施例だけに限定されることではなく、その他の様々な変更や変形がもちろん可能である。
【０１０９】
例えば、本発明の実施例では、Ｙ電極をフローティング状態にして放電を消滅させることを例として説明したが、その他の電極をフローティング状態にすることもできる。また、本発明の実施例では上昇ランプまたは下降ランプ波形を例に挙げて説明したが、その他にも他の上昇または下降波形を用いることもできる。
【図面の簡単な説明】
【０１１０】
【図１】交流型プラズマディスプレイパネルの一部斜視図である。
【図２】プラズマディスプレイパネルの電極配列図である。
【図３Ａ】本発明の実施例による駆動方法を説明するためにプラズマディスプレイセルをモデリングしたものである。
【図３Ｂ】図３Ａの等価回路を示した図である。
【図４】図３Ａに示した図面の電極に印加される電荷、壁電荷及び放電空間内部の電圧を示す図である。
【図５】図３Ａに示した図面の電極に印加される電荷、壁電荷及び放電空間内部の電圧を示す図である。
【図６】図３Ａに示した図面の電極に印加される電荷、壁電荷及び放電空間内部の電圧を示す図である。
【図７】本発明の実施例によるプラズマディスプレイパネルを示す図である。
【図８Ａ】本発明の第１実施例の駆動方法によるリセット波形を示す図である。
【図８Ｂ】本発明の第１実施例の駆動方法によるリセット波形を示す図である。
【図９】本発明の第１実施例の駆動方法による電極の電圧、壁電圧、放電電流を示す図である。
【図１０】本発明の第２実施例による駆動方法を具現する回路の概念図である。
【図１１】本発明の第２実施例の駆動方法による波形を示す図である。
【図１２Ａ】図１１のリセット波形をより詳細に示した図である。
【図１２Ｂ】図１１のリセット波形をより詳細に示した図である。
【図１２Ｃ】図１１のリセット波形をより詳細に示した図である。
【図１３Ａ】本発明の第２実施例の駆動方法による電極の電圧、壁電圧、放電電流を示す図である。
【図１３Ｂ】本発明の第２実施例の駆動方法による電極の電圧、壁電圧、放電電流を示す図である。
【符号の説明】
【０１１１】
１      第１基板
２、２０、３０      誘電体層
３      保護膜
４      走査電極
５      維持電極
６      第２基板
７      絶縁体層
８      アドレス電極
９      隔壁
１０    蛍光体
１１、４０      放電空間
１２    放電セル
１５    第１電極
１６    第２電極
１００  プラズマパネル
２００  制御部
３００  アドレス駆動部
４００  Ｘ電極駆動部
５００  Ｙ電極駆動部
【図１】
2004341473.tif 000020
【図２】
2004341473.tif 000021
【図３Ａ】
2004341473.tif 000022
【図３Ｂ】
2004341473.tif 000023
【図４】
2004341473.tif 000024
【図５】
2004341473.tif 000025
【図６】
2004341473.tif 000026
【図７】
2004341473.tif 000027
【図８Ａ】
2004341473.tif 000028
【図８Ｂ】
2004341473.tif 000029
【図９】
2004341473.tif 000030
【図１０】
2004341473.tif 000031
【図１１】
2004341473.tif 000032
【図１２Ａ】
2004341473.tif 000033
【図１２Ｂ】
2004341473.tif 000034
【図１２Ｃ】
2004341473.tif 000035
【図１３Ａ】
2004341473.tif 000036
【図１３Ｂ】
2004341473.tif 000037